(57)【要約】      （修正有）【課題】容易に着脱でき、介護者及び被介護者の肉体的・精神的負担の少ない、普段着及び外出用にデザインした下半身用介護用衣服を提供する。【解決手段】左右対称の２枚の布体３、４で構成された巻きスカートの形状で、２枚の布体がウエスト部分１９で縫われていることで上部は固定され、ウエストに巻き付けてウエスト部に開閉手段を有しているので下半身用介護衣服として容易に着脱することができる。また、背面の布体が開放可能となり、着用したままトイレ使用が可能であることからの肉体的・精神的負担の少ない下半身用介護用衣服である。開放手段ならびに開放部が、外見上目立たないので普通の洋服感覚で着用することができる。【選択図】図１
0003175708.tif 000002
【実用新案登録請求の範囲】
【請求項１】
左右対称の２枚の布地を組み合わせて縫製する下半身用介護衣服であって、前記２枚の布地がそれぞれ台形状でかつ左右対称の形状を有しており、
それぞれの布地が左右方向で一部が重なり合うように配置した前記２枚の布地の上端部を下方に折り曲げて筒状にしてウエスト部とし、前記筒状部には２組の押さえつけると接着するテープを開閉手段として縫着しスカートを縫製することが出来る、
又は、前記２枚の布地が臀部を包み込む部分を広く、かつ股上を深くした左右対称の形状を有する２枚の布地をそれぞれの布地の股上に該当する部位を左右方向で突き合わせた状態で配置し、配置した前記２枚の布地の上端部を下方に折り曲げて筒状にしてウエスト部とし、前記筒状部には２組の押さえつけると接着するテープを開閉手段として縫着し前記突き合わせて当接した部分を縫い合わせ、前記２枚のそれぞれの布地の股下部の内側に左右方向の両端にオープンファスナーを縫着してズボンを縫製することが出来る、
ことを特徴とする下半身用介護用衣服。
【考案の詳細な説明】
【技術分野】
【０００１】
本考案は、着脱衣時の介護者及び被介護者の肉体的・精神的負担が少なく、かつ普段着用及び外出用に使用できる下半身用介護用衣服に関するものである。
【背景技術】
【０００２】
特許文献１には、介護用スカートとしては、例えば介護を受ける被介護者に着用させる介護用スカートであって、前記介護用スカートの前中心にオープンファスナーを下向きに設け、前記オープンファスナーのスライダーに折り曲げ可能な引き手部を接続し、前記引き手部に少なくとも１つのボタンホールを設け、前記スカートの後中心下部の表側または裏側に少なくとも１つのボタンを設けた介護用スカートが開示されている。
【０００３】
また特許文献２には、前布と、前布に取り付けられる後布と、前布と後布との間に取り付けられた側部開閉手段とを備えた被介護用スカートであって、上部ファスナーは、上端から下方に向かって上部開き止り部まで開放でき、下部ファスナーは、下端から上方に向かって下部開き止り部まで開放でき、上部ファスナーと下部ファスナーとの間に前布と後布とを直接接続する非開放部を設けた被介護者用スカートが開示されている。
【０００４】
さらに特許文献３には、一方のズボン前片、他方のズボン前片及び一方のズボン前片の上部と他方のズボン前片の上部とを接続する腹連結部を有する前布と、一方のズボン後片、他方のズボン後片及び一方のズボン後片の上部と他方のズボン後片の上部とを接続する背連結部とを有する後布とを備える被介護者用ズボンにおいて、一方のズボン前片の一方の縁部と一方のズボン後片の一方の縁部との間を全長さに沿って第１の接合分離手段により分離可能に接合し、他方のズボン前片の一方の縁部と他方のズボン後片の一方の縁部との間を全長さに沿って接合手段により接合し、一方のズボン前片の他方の縁部と一方のズボン後片の他方の縁部との間及び他方のズボン前片の他方の縁部と他方のズボン後片の他方の縁部との間を第２の接合分離手段により何れも分離可能に接合した被介護者用ズボンが開示されている。
【先行技術文献】
【特許文献】
【０００５】
【特許文献１】実用新案登録第３１４２４８５号公報
【特許文献２】実用新案登録第３１０３４６２号公報
【特許文献３】実用新案登録第３１１１０１７号公報
【考案の概要】
【考案が解決しようとする課題】
【０００６】
自力で着衣・脱衣が困難な人は、着衣、脱衣時に介護者の助けが必要であるが、特許文献１ないし３の従来の介護服は、例えばズボンの場合は、被介護者は座位での着脱ができず、立たないと着脱できないため、わざわざ着脱の都度立つことになり、被介護者に肉体的・精神的に大きな負担になるという問題があった。
【０００７】
また、特許文献１ないし３の従来の介護服は、例えばズボンの場合は、座位の姿勢では前面を覆い隠すことができず、人間として隠したい身体の一部が露出する問題があった。
【０００８】
また、特許文献１ないし３の従来の介護服は、例えばスカートの場合はトイレを使用する際スカートをたくし上げなければならず、介護者はそのたくし上げたスカートの下で、下着の上げ下げをしなくてはならないという肉体的・精神的負担の問題があった。
【０００９】
そこで本考案の目的は、介護者、被介護者共に肉体的・精神的負担を軽減するために、容易に座位で着脱を行うことが出来、トイレ使用時において座位時の前面カバーに配慮し、且つ被介護者のトイレ介護を簡易にすることが出来、さらに日常着から外出用まで幅広く使用できるファッショナブルな下半身用介護用衣服を提供することである。
【課題を解決するための手段】
【００１０】
請求項1に記載の下半身用介護衣服は、左右対称の２枚の布地を組み合わせて縫製する下半身用介護衣類であって、前記２枚の布地がそれぞれ台形状でかつ左右対称の形状を有しており、それぞれの布地が左右方向で一部が重なり合うように配置した前記２枚の布地の上端部を下方に折り曲げて筒状にしてウエスト部１９とし、前記筒状部には２組の押さえつけると接着するテープ７ａ７ｂ・８ａ８ｂを開閉手段として縫着しスカート１を縫製することが出来る、又は、前記２枚の布地が臀部を包み込む部分を広く、かつ股上を深くした左右対称の形状を有する２枚の布地をそれぞれの布地の股上に該当する部位を左右方向で突き合わせた状態で配置し、配置した前記２枚の布地の上端部を下方に折り曲げて筒状にしてウエスト部２０とし、前記筒状部には２組の押さえつけると接着するテープ９ａ９ｂ・１０ａ１０ｂを開閉手段として縫着し前記突き合わせて当接した部分を縫い合わせ、前記２枚のそれぞれの布地の股下部の内側に左右方向の両端にオープンファスナーＳを縫着してズボン２を縫製することが出来ることを特徴とする。
【考案の効果】
【００１１】
請求項1に記載の下半身用介護用衣服がズボン２の場合は、股下部に縫着したズボン股下内側開閉オープンファスナーＳを下ろしはずすと中央下方部に切れ目のある巻きスカート状になるので、イスにあらかじめ広げ、その上に腰かけて、座位のまま容易に着脱できるので、介護者や被介護者の肉体的・精神的負担を軽減することができる。
【００１２】
請求項1に記載の下半身用介護用衣服がズボン２の場合は、股下部のズボン股下内側開閉オープンファスナーＳを下ろしはずして、ほぼ巻きスカート状にして広げてトイレに着座すれば、身幅を広くゆったりとっており、かつ股上部を深くとっており、さらに背面開放型になるのでトイレ使用時に前面をはだけることなく排泄することが出来、かつ下着の上げ下ろしが出来るので、人間としての尊厳を維持できる。
【００１３】
請求項1に記載の下半身用介護用衣服がスカート１の場合は、スカート１を広げて着座すれば、ウエスト部１９から下方に延びる２枚の布が左右方向で重なりかつ左右対称の形態で背面も下方にて開放されているのでスカート１をたくしあげなくても下着の上げ下げができるので介護者の肉体的・精神的負担を軽減することができる。
【００１４】
請求項1に記載の下半身用介護用衣服は、開放部ならびに開放手段が外見上目立たないことから、普通の洋服感覚で装うことができる。そして、日中の普段着から外出着用に適しているので、外出する時に着替えなければならないという煩わしさがなくなって、外界との接点が増え、加えて肉体的・精神的に楽に座位の姿勢が出来ることにより寝たきりになる時間帯が減少することにより、被介護者に生ずる脳への刺激となり、被介護者の体調の現状維持に貢献できると推測される。
【図面の簡単な説明】
【００１５】
【図１】スカート前面図である。
【図２】スカート背面図である。
【図３】スカート展開図である。
【図４】ズボン前面図である。
【図５】ズボン背面図である。
【図６】ズボン展開図である。
【図７】ズボン股下内側開閉手段図である。
【考案を実施するための形態】
【００１６】
以下、本考案による下半身用介護用衣服の実施の形態を図１〜図７において説明する。
【００１７】
まず、本考案による下半身用介護用衣服がスカート１の場合について図１ないし図３から説明する。本考案のスカート１は左右方向に左右対称に背面が重なっており、図３に示すように開くとスカート構成布３とスカート構成布４からなるそれぞれが台形の形状をした２枚の布で構成され、前記２枚の布は巻きスカートを展開した形状をしている。そして、２枚の布は、ウエスト部１９でのみ縫われている。したがって、本考案のスカート１は２枚の布が上部のウエスト部１９のみ縫合されて、ウエスト部１９より下方は縫合されていない。
【００１８】
図３に示すように、前記スカート１の中心Ｔを背中心に置き、スカートウエスト部１９のＯ端に縫着した、押さえつけると接着するテープであるスカート開閉手段７ａをウエストに巻き、スカートウエスト部１９のスカート１の中心Ｔの左に縫着した、押さえつけると接着するテープであるスカート開閉手段７ｂで接着固定し、更にスカートウエスト部１９のＰ端に縫着した、押さえつけると接着するテープであるスカート開閉手段８ｂを反対側ウエストのスカートウエスト部１９のスカート１の中心Ｔの右に縫着した、押さえつけると接着するテープであるスカート開閉手段８ａまで重ねて固定できるようにしている。それぞれのテープ７ａと７ｂ、また８ａと８ｂを接着させると、巻きスカートが完成する。
【００１９】
従って、被介護者が着用する時は、前記スカート１のウエスト部１９を縫着して、その下方を縫い合わせていない巻きスカートの形状になっていることから、前記スカート１をイスにあらかじめ広げておき、その上に被介護者が座った状態から着用可能である。
【００２０】
図１及び図２に示すように、前記スカート１は背面で布が重なり合っているだけなので、容易に背面が開閉できることから、スカート１を広げて着座すれば、トイレ使用時の座位において前面を覆い隠すことができ、人間として隠したい身体の一部が露出することなく使用できる。
【００２１】
また、前記スカート１は背面が開閉できることから、トイレを使用する際スカート１をたくし上げなくてよいので、介護者がそのたくし上げたスカート１の下で下着の上げ下げをしなくてもよく肉体的・精神的負担を軽減することができる。
【００２２】
次に、本考案による下半身用介護用衣服がズボン２の場合を図４ないし図７から説明する。本考案のズボン２は左右方向に左右対称の２枚の布が背面において重なっておらず、図６に示すように開くとズボン構成布５とズボン構成布６からなるそれぞれが変形台形の形状をして２枚の布を背面中央股上で縫合された一枚の布で構成された巻きスカートの形状で、ウエスト部２０で縫われていることで上部は固定されており、前記ウエスト部背面中央股下はズボン股下内側開閉オープンファスナーＳにより完全に開放できるようにしている。
【００２３】
図６に示すように、前記ズボン２の中心Ｕを背中心に置き、ズボンウエスト部２０のＱ端に縫着した、押さえつけると接着するテープであるズボン開閉手段９ａをウエストに巻き、ズボンウエスト部２０のズボン２の中心Ｕの左に縫着した、押さえつけると接着するテープであるズボン開閉手段９ｂで接着固定し、更にズボンウエスト部２０のＰ端に縫着した、押さえつけると接着するテープであるズボン開閉手段１０ｂを、反対側ウエストのズボンウエスト部２０のズボン２の中心Ｕの右に縫着した、押さえつけると接着するテープであるズボン開閉手段１０ａまで重ねて固定できるようにしている。そして、足の部分は股下両内側１１ａと１１ｂ、１２ａと１２ｂがズボン股下内側開閉オープンファスナーＳを開閉手段としてそれぞれの足を覆うようにしている。
【００２４】
従って被介護者が着用する時は、前記２枚の布地が臀部を包み込む部分を広く、かつ股上を深くしそれぞれの布地の股上に該当する部位である一端側の上部を上下方向で突き合わせた状態で配置して縫着し、ウエスト部２０も縫着して巻きスカートの形状となっているので、前記ズボン２をイスにあらかじめ広げておき、その上に被介護者が座った状態から着用可能である。
【００２５】
前記ズボン２は臀部を包み込む部分を広く、かつ股上を深くしており、さらに図３及び４に示すように、前記ズボン２は股下がズボン股下内側開閉オープンファスナーＳになっていることから座位のままで容易に着脱ができる。
【００２６】
また、前記ズボン２は臀部を包み込む部分を広く、かつ股上を深くしており、さらに前記ズボンは図３及び４に示すように、股下がズボン股下内側開閉オープンファスナーＳになっていることからトイレ使用時には、容易にズボン股下内側開閉オープンファスナーＳを下部に引き下げることにより、前布と後布は完全に開放されるので、容易にトイレを使用することが出来る。かつトイレ使用時の座位において前面を覆い隠すことができ、人間として隠したい身体の一部が露出することなく使用できる。
【符号の説明】
【００２７】
１      スカート
２      ズボン
３      スカート構成布
４      スカート構成布
５      ズボン構成布
６      ズボン構成布
７a     スカート開閉手段
７ｂ    スカート開閉手段
８a     スカート開閉手段
８ｂ    スカート開閉手段
９a     ズボン開閉手段
９ｂ    ズボン開閉手段
１０a   ズボン開閉手段
１０ｂ  ズボン開閉手段
１１a   ズボン股内側開閉手段
１１ｂ  ズボン股内側開閉手段
１２ａ  ズボン股内側開閉手段
１２ｂ  ズボン股内側開閉手段
１９    スカートウエスト部
２０    ズボンウエスト部
Ｏ      スカートウエスト右前端
Ｐ      スカートウエスト左前端
Ｑ      ズボンウエスト右前端
Ｒ      ズボンウエスト左前端
Ｓ      ズボン股下内側開閉オープンファスナー
Ｔ      スカート中心線
Ｕ      ズボン中心線
【図１】
0003175708.tif 000003
【図２】
0003175708.tif 000004
【図３】
0003175708.tif 000005
【図４】
0003175708.tif 000006
【図５】
0003175708.tif 000007
【図６】
0003175708.tif 000008
【図７】
0003175708.tif 000009